(57)【要約】【課題】  安全な施工によって斜面に位置する石をリングロープにより固定し、落石を防止することができる落石防止具および落石防止工法を提供する。【解決手段】  複数のリングロープ６を縦方向に一直線状に並べた状態で、隣接するリングロープ６同士が互いに交差するように連結させてなるワイヤリング列７、および、被覆対象の石Ｓの幅に合わせた数のワイヤリング列７を幅方向に並べて配置した状態で隣接する各リングロープ６を連結する結合金具８からなるロープユニット２と、このロープユニット２の上部および両側部において地盤Ｇに埋設させた複数のアンカー３と、これらのアンカー３をロープユニット２のワイヤロープ５に引っ張り力をかけながら連結する複数の連結具４とを備える。【選択図】図１
2020159178.tif 000002
【特許請求の範囲】
【請求項１】
複数のリングロープを縦方向に一直線状に並べた状態で、隣接するリングロープ同士を互いに交差するように連結させてなるワイヤリング列、および、被覆対象の石の幅に合わせた数のワイヤリング列を幅方向に並べて配置した状態で隣接する各リングロープを連結する結合金具からなるロープユニットと、このロープユニットの上部および両側部において地盤に埋設させた複数のアンカーと、これらのアンカーをロープユニットのリングロープに引っ張り力をかけながら連結する複数の連結具とを備えることを特徴とする落石防止具。
【請求項２】
前記結合金具は並べて配置させた２本のリングロープを挟み込むように断面視略コ字状に湾曲させたプレートと、このプレートの間に２本のリングロープを挟んだ状態でプレート両端部に設けた穴を貫通させるボルトと、このボルトに締付けられることによりプレートの間に２本のリングロープを抜け止め保持するナットとを備える請求項１に記載の落石防止具。
【請求項３】
前記ロープユニットの下部の複数箇所に連結され、このロープユニットの幅よりも長いすり抜け防止ロープと、
前記石の両側部の下部において地盤に埋設させた左右一対の補助アンカーと、
前記すり抜け防止ロープの両端部を引っ張り力をかけながら補助アンカーに連結させる補助連結部とを備える請求項１または２に記載の落石防止具。
【請求項４】
縦方向に一直線状に配置した状態で隣接するリングロープを互いに交差させて連結させたワイヤリング列を形成し、
被覆対象の石の幅に合せた数のワイヤリング列を幅方向に並べ、
隣接する各リングロープを結合金具によって連結してロープユニットを形成する一方、
石を覆ったロープユニットの上部および左右両側部において地盤に複数のアンカーを埋設させ、
これらのアンカーにロープユニットのリングロープを連結具によって引っ張りながら固定することにより、
被覆対象の石の落下を防止することを特徴とする落石防止工法。
【請求項５】
前記ロープユニットの下部の複数箇所に、このロープユニットの幅よりも長いすり抜け防止ロープを連結させた状態で、このロープユニットで石を覆う一方、
石の両側部の下部において地盤に補助アンカーを埋設させ、
前記すり抜け防止ロープを石の下部に配置させた状態で、その両端部を引っ張りながら前記補助アンカーに連結させる請求項４に記載の落石防止工法。
【発明の詳細な説明】
【技術分野】
【０００１】
本発明は落石防止具および落石防止工法に係り、特に、安全を確保しながら斜面に露出した特定の石をアンカーにて確実に固定することができる落石防止具および落石防止工法に関する。
【背景技術】
【０００２】
従来より、斜面に露出した石の滑動や転石を避けるために、ワイヤロープを格子状に組合わせたネットを用いて覆うことにより保護することが行なわれている。また、石を数本のロープで被ったり、引っかけたりすることにより斜面に固定する落石防止工法は非特許文献１に開示されている。
【０００３】
加えて、特許文献１には、石が散在する斜面においてワイヤロープを縦横に張り巡らせると共に交点において固定し、ワイヤロープをリング状に加工したものを多数並べて連結したロープユニットとして、前記ワイヤロープと接合することにより、落石を防止する落石防止装置および落石防止工法が開示されている。
【０００４】
さらに、特許文献２には、斜面にある複数の石の集合体に、ワイヤロープの端部を連結具によって連結したリング状のエレメントで被覆し、石と石との間に形成される凹部の無い石に対しアンカーを打ち込み固定することにより、密着させて抱持状態にすることで転動を防止する落石防止工法が開示されている。
【先行技術文献】
【特許文献】
【０００５】
【特許文献１】特開平１０−２８０３３２号公報
【特許文献２】特許第４６１５２０３号公報
【０００６】
【非特許文献１】公益社団法人日本道路協会：「落石対策便覧」，２０１７，ｐ．１１２−１１３
【発明の概要】
【発明が解決しようとする課題】
【０００７】
しかしながら、上述の非特許文献１で示される落石防止方法は，石に対して水平方向に這わせたワイヤロープの張力とワイヤロープの両端に結合させたアンカーの固定力によって石を固定するものであり、アンカーの設置本数はワイヤロープの設置本数によって決まるため、石の固定に必要なアンカー耐力を確保するために市場性の低い太径のアンカーを使用しなければならず、場合によっては必要な耐力を確保できないこともあった。
【０００８】
また、石が横長の形状の場合、水平方向に這わせるワイヤロープの本数が限られてしまうため、石の固定に必要な耐荷重を確保できないという課題があった。さらに、被覆対象の石にワイヤロープを巻回する作業中に石が滑動する可能性もあるため、石の下側においてアンカーの埋設や固定を行なうことには危険が伴っていた。
【０００９】
特許文献１の落石防止装置および落石防止工法の場合、ワイヤロープをリング状に加工した複数のロープリングの集合体からなるロープユニットにより、斜面に散在する石を固定するものであるが、縦横に敷設した格子状のワイヤロープに画一的な大きさに形成されたリングロープのロープユニットを取付けるものであるため、この格子状のワイヤロープが格子内の石の荷重を受け持つこととなり、格子を形成するワイヤロープ１本にかかる荷重の比率が大きくなるという問題がある。つまり、落石防止を行なうエリア内に大きな石がある場合、大きな石を対象とする落石防止を行なう場合に十分な強度で把持させる施工を行えないという問題がある。
【００１０】
特許文献２の落石防止工法の場合、複数の石を包み込んだ状態とするために、石にアンカーを打ち込み固定する必要があるが、このアンカー打設の際に石が滑動することや、アンカー打設の際に石が割れるという危険性もあり、作業環境が良くなかった。
【００１１】
本発明は上述の事柄を考慮に入れてなされたものであり、安全な施工によって斜面に位置する石をワイヤロープにより固定し、落石を防止することができる落石防止具および落石防止工法を提供することを目的とする。
【課題を解決するための手段】
【００１２】
第１発明は、環状に接続したワイヤロープ（以下、リングロープという）を複数個縦方向に一直線状に並べた状態で、隣接するリングロープ同士を互いに交差するように連結させてなるワイヤリング列、および、被覆対象の石の幅に合わせた数のワイヤリング列を幅方向に並べて配置した状態で隣接する各リングロープを連結する結合金具からなるリングロープのロープユニットと、このロープユニットの上部および両側部において地盤に埋設させた複数のアンカーと、これらのアンカーをロープユニットのリングロープに引っ張り力をかけながら連結する複数の連結具とを備えることを特徴とする落石防止具（請求項１）を提供する。
【００１３】
リングロープは石の表面の凹凸に対応して変形する程度に湾曲し、引っ張り力を加えることにより、リングの各部に分散して力を作用させることができる。隣接するリングロープ同士を互いに交差するように連結させたワイヤリング列は縦方向に広い範囲において張力を分散させて作用させることができる。また、被覆対象の石の幅に合わせた数のワイヤリング列を連結させたロープユニットは石の全体を覆うことができる。
【００１４】
したがって、上記ロープユニットを用いることにより、被覆対象の石の全体を覆うことができ、被覆対象の石の上部および両側部の地盤に埋設させた複数のアンカーと連結部によってロープユニットの上部および両側部において引っ張り力をかけて地盤に固定することができる。このとき、ロープユニットの両側部においてアンカーに固定した連結部によってかけられる引っ張り力が横方向の各リングロープに分散して作用することにより石をしっかりと保持でき、さらに、ロープユニットの上部においてアンカーで引っ張りながら固定することにより、石の滑動や落下を確実に防止することができる。
【００１５】
とりわけ、ロープユニットの四隅においてロープユニットにかけられた引っ張り力は石の全体に分散して作用させて、石を地盤に安定して固定することが可能となる。施工時に石の下部において地盤にアンカーを打ち込む施工を施す必要がないため、施工中に万一石の滑動や落下が発生することがあったとしても、工事作業者の安全性を脅かすことがない。また、被覆対象の石に対してアンカーを打ち込む必要もないので、アンカー打設によって石が割れる心配もない。
【００１６】
前記結合金具は並べて配置させた２本のリングロープを挟み込むように断面視略コ字状に湾曲させたプレートと、このプレートの間に２本のリングロープを挟んだ状態でプレート両端部に設けた穴を貫通させるボルトと、このボルトに締付けられることによりプレートの間に２本のリングロープを抜け止め保持するナットとを備える場合（請求項２）には、プレートによって挟まれた２本のリングロープを抜け止め保持することができる。
【００１７】
前記結合金具によって連結された２本のリングロープは抜け止め保持されると共に、リングロープの長手方向に移動可能であるから、各リングロープは張力を伝えながら自在に変形可能であり、被覆対象の石の各部に分散させて作用させて、石を地盤に固定することができる。
【００１８】
前記ロープユニットの下部の複数箇所に連結され、このロープユニットの幅よりも長いすり抜け防止ロープと、前記石の両側部の下部において地盤に埋設させた左右一対の補助アンカーと、前記すり抜け防止ロープの両端部を引っ張り力をかけながら補助アンカーに連結させる補助連結部とを備える場合（請求項３）には、すり抜け防止ロープによってロープユニットの下部の複数箇所において張力をかけて、このロープユニットの下部が石の下部の地盤に押さえつけられた状態で固定されるので、ロープユニットの下部から石がすり抜けて滑動したり、崩落したりすることを防止できる。
【００１９】
補助アンカーは石の両側部の下部において地盤に埋設されるものであるから、石の下部における施工を避けることができ、それだけ、施工時の安全性を向上させることができる。
【００２０】
なお、補助アンカーにはロープユニットの下部の複数箇所を引っ張って地盤に固定させるに必要な引っ張り力がかけられるが、被覆対象の石の荷重がかからないため、石を地盤に固定させるための前記アンカーに比べて、細い補助アンカーを使用可能であるから、製造コストの引き上げを最小限に留めることができる。
【００２１】
第２発明は、縦方向に一直線状に配置した状態で隣接するリングロープを互いに交差させて連結させたワイヤリング列を形成し、被覆対象の石の幅に合せた数のワイヤリング列を幅方向に並べ、隣接する各リングロープを結合金具によって連結してリングロープのロープユニットを形成する一方、石を覆ったロープユニットの上部および左右両側部において地盤に複数のアンカーを埋設させ、これらのアンカーにロープユニットのリングロープを連結具によって引っ張りながら固定することにより、被覆対象の石の落下を防止することを特徴とする落石防止工法（請求項４）を提供する。
【００２２】
そして、縦方向に一直線状に連結したワイヤリング列によって石の縦方向の広い範囲に引っ張り力を分散させることができる。被覆対象の石の幅に合わせた数のワイヤリング列を幅方向に並べて連結することにより、石の全体を被うことができる大きさのロープユニットを形成することができ、ロープユニットの左右両側部において地面にアンカーを埋設させ、このアンカーと連結具によってロープユニットを引っ張りながら固定することにより、石を地盤に押し当てるように引っ張り力をほぼ均等に作用させることができる。
【００２３】
なお、隣接するワイヤリング列を連結する作業は施工現場で行なうことにより、あらゆる大きさの石に対応して施工を行なう事が可能となり、石の凹凸に合わせて長さの異なるワイヤリング列を連結させることも可能となる。また、ワイヤリング列はリングロープを互いに交差させるように連結したものであるから、容易に重ねて省スペース化することができ、それだけ運搬しやすいという利点もある。しかしながら、幾つかのワイヤリング列を製造過程において予め連結させたリープユニットの原型を形成してもよい。この場合、現場にて更にワイヤリング列を連結するか、不要なリングロープを分離させることができる。
【００２４】
ロープユニットを地盤に固定するときには、まず、ロープユニットの四隅を地盤に打設したアンカーによって引っ張りながら固定させ、その後、ロープユニットの四隅を除く左右両側部において石の荷重に合せた数のアンカーによって引っ張りながら地盤に固定させ、さらに、ロープユニットの上部を石の荷重に合せた数のアンカーによって引っ張りながら地盤に固定させることができる。
【００２５】
これにより、ロープユニットの四隅の地盤に設けたアンカーによってロープユニットのリングロープを引っ張るように地盤に固定する事により、ロープユニットを構成する各リングロープに張力を分散させて作用させて地盤に固定する事ができ、四隅を除く左右両側部において石の荷重に合せて必要とする数のアンカーを打設し、これに引っ張りながらロープユニットのリングロープを連結することにより、ロープユニットを構成する各リングロープに更にそれぞれ分散させた引っ張り力を増し加えて作用させて十分な力で地盤に固定させることができる。
【００２６】
さらに、ロープユニットの上部において地盤に埋設させたアンカーにリングロープを引っ張りながら固定することにより、ロープユニットに生じた石の荷重を直接アンカーに伝達させ、石が斜面を滑動することを効果的に防止できる。アンカーの本数を石の荷重に耐えられる本数にして打設することにより、大きな石であっても十分な力で吊り下げて落石をより確実に防止することができる。
【００２７】
つまり、ロープユニットの許容耐力は、石に接触させた水平方向のリングロープ同士の交点（連結具を設けた点）の数と交点部分の許容耐力を乗じた値となるため、対象となる石が横長になる分だけ交点の数を増加させることによりロープユニットの許容耐力が向上する。
【００２８】
加えて、上述の施工を施す時に石の下部における作業を行なう必要がないので、万一施工中に、石が滑動することがあったとしても、作業員に危険が迫ることなく安全に作業を行なうことができる。
【００２９】
前記ロープユニットの下部の複数箇所に、このロープユニットの幅よりも長いすり抜け防止ロープを連結させた状態で、このロープユニットで石を覆う一方、石の両側部の下部において地盤に補助アンカーを埋設させ、前記すり抜け防止ロープを石の下部に配置させた状態で、その両端部を引っ張りながら前記補助アンカーに連結させる場合（請求項５）には、ロープユニットの下部が複数箇所においてすり抜け防止ロープによって閉じられているので、このロープユニットで石を覆うときに、石の両側部の下部に埋設させた補助アンカーにすり抜け防止ロープに幅方向に引っ張り力をかけるように連結させることにより、ロープユニットの下部からの石のすり抜けを確実に防止できる。
【００３０】
なお、ロープユニットに対するすり抜け防止ロープの連結は、石へのロープユニットの設置を行なう前に行なうことにより、石の下方における作業をなくすことができ、より安全に施工を行うことができる。
【発明の効果】
【００３１】
前述したように、本発明によれば、固定の対象となる石が大きい場合でも、ロープユニットの上部および両側部において石の荷重に耐えうる数のアンカーを打設して、これによって必要十分な力で石を地盤に固定し、吊り下げるような張力を作用させ続けることができる。また、石を固定する施工を行なう際に危険を伴う石の下側における作業を無くすことにより、作業の安全性を確保することができる。
【図面の簡単な説明】
【００３２】
【図１】本発明の第１実施形態に係る落石防止具および落石防止工法を説明する縦断面図である、
【図２】前記落石防止具の全体構成および落石防止工法による施工後の状態を示す図である。
【図３】落石防止具の一部であるリングロープおよびロープユニットの構成を示す図である。
【図４】前記リングロープ同士を連結する連結金具の構成を説明する図である。
【図５】地盤に埋設させたアンカーの例を示す図である。
【図６】連結具の構成を説明する図である。
【図７】本発明の第２実施形態に係る落石防止具および落石防止工法を説明する図である。
【図８】すり抜け防止ロープをロープユニットに連結するすり抜け防止ロープ結合金具の構成を示す斜視図である。
【図９】すり抜け防止ロープを補助アンカーに連結する補助連結部の構成を示す図である。
【発明を実施するための形態】
【００３３】
以下、図１〜図６を用いて、本発明の第１実施形態にかかる落石防止具および落石防止工法を説明する。
【００３４】
図１に示すように、本発明は斜面を構成する地盤Ｇから突出する石Ｓの滑動および落下を防止する落石防止具１および落石防止工法に関するものである。本発明の落石防止具１は斜面に散在する多数の石を抱え持つようなものではなく、斜面から突出する大きな石Ｓを覆うようにして地盤Ｇに固定すると共に、上部の地盤Ｇに吊すように固定することにより落石を確実に防止する落石防止工法を実現させるものである。
【００３５】
図２に示すように、落石防止具１は石Ｓを包み込む程度の高さと幅を有するロープユニット２と、このロープユニット２の両側部および上部の地盤Ｇに埋設させるアンカー３と、このアンカー３にロープユニット２を引っ張り力をかけながら連結する連結具４とを備えるものである。
【００３６】
図３に示すように、前記ロープユニット２は、環状に接続したワイヤロープ５からなる複数のリングロープ６を縦方向に一直線状に並べた状態で、隣接するリングロープ６同士が互いに交差するように連結させてなるワイヤリング列７、および、複数のワイヤリング列７を幅方向に並べて配置した状態で隣接する各リングロープ６を連結する結合金具８からなる。
【００３７】
図３（Ａ）に示すように環状に湾曲させたワイヤロープ５の両端部は楕円状のアルミ管内に挿入した状態で圧縮加工によって締結させたロック加工部９において強固に抜け止め接続される。ロック加工部９はロック加工によって速やかに接続可能であると共に、接続されたワイヤロープ５の端部には圧縮されたアルミがロープの間に食い込んで連結するので、ロープ接続部を損傷することなくその切断荷重と等しい強度を得ることができる。このようにして形成されたリングロープ６は被覆対象の石の凹凸に対して柔軟に変形可能であると共に、加えられた引っ張り力をリング上の各部に分散させて作用させることができる。
【００３８】
図３（Ｂ）に示すように、ワイヤリング列７は一直線状に配置したリングロープ６を形成する段階でリングロープ６同士が互いに交差するように連結することにより、ワイヤリング列７によって縦方向に広い範囲において引っ張り力を分散させて作用させることができるように構成している。なお、交差させたリングロープ６同士は引っ張り力を確実に伝達させると共に連結部が石の表面の凹凸に柔軟に対応して移動可能であるから、石の表面の各部に同程度の張力を分散させて作用させることができる。
【００３９】
図４は前記リングロープ６を連結する結合金具８の構成を示す図である。
図４（Ａ）に示すように、本実施形態の結合金具８は両端部近傍に穴１０Ａをそれぞれ形成し、２つの穴１０Ａの位置を合わせるように略Ｕ字状に屈曲させてなるプレート１０と、穴１０Ａに挿入するボルト１１と、このボルト１１に螺合されるナット１２とを備える。
【００４０】
図４（Ｂ）に示すように、プレート１０の間に２本のリングロープ６を挟み込んだ状態で、穴１０Ａにボルト１１を挿入し、ナット１２を締め付けることにより、２本のリングロープ６は抜け止め保持される。このとき、２本のリングロープ６は連結されるがプレート１０に挟まれた状態で長手方向に移動可能である。すなわち、各リングロープ６は石の表面に当接した状態で、その表面の凹凸に合わせて変形すると共に、引っ張り力は結合金具８によって伝達されて石Ｓの各部に作用させることができる。
【００４１】
図５に示すように、前記アンカー３は例えば削岩機などを用いて石Ｓの左右両側部と上部の周辺に開設させた穿孔１４に埋設された状態で、セメントなどの接着剤１５によって固定される埋設部分１６と、地盤Ｇから約１０ｃｍほど突出させた部分１７とを備える。また、前記埋設部分１６には抜け止め用の多数の横リブ１６Ａと、回転止め用の縦リブ１６Ｂとを備える。上述のように構成されたアンカー３は接着剤１５が硬化するときに、地盤Ｇに確実に固定した状態で頭部１７によって石を吊り下げるために必要な引っ張り力に耐えることができる。
【００４２】
図６（Ａ）に示すように、前記連結具４は前記アンカー３の頭部１７を挿通する長穴１８Ａが形成された十分な強度を有する厚板形状の基体１８と、この基体１８との間にリングロープ６を嵌め込む溝１９Ａが形成され、溝１９Ａ内にリングロープ６を挟み込んだ状態で基体１８に取付けられる嵌め込みプレート１９と、基体１８および嵌め込みプレート１９に形成された貫通孔１８Ｂ，１９Ｂに挿通する略コ字状に屈曲させた屈曲ボルト２０と、この屈曲ボルト２０の両端部に螺号連結されるナット２１とを備える。
【００４３】
図６(Ｂ）に示すように、嵌め込みプレート１９によってリングロープ６を挟み込んだ状態で屈曲ボルト２０とナット２１を締め込むことにより、リングロープ６は連結具４に抜け止保持されることになり、この連結具４の長穴１８Ａをアンカー３の頭部１７に設けた雄ねじ部にナット２２を締付け保持することによりリングロープ６をアンカー３に固定することができる。なお、基体１８にリングロープ６を引っ張る方向に長く形成された長穴１８Ａが形成されているので、アンカー３に連結具４を連結するときにリングロープ６を可能な限り引っ張りながら長穴１８Ａ内にアンカー３の頭部１７を挿入し、ナット２２をある程度締めた状態で、基体１８をハンマーなどを用いて叩いて長穴１８Ａの範囲内で移動させた後に、ナット２２を強く締付けることにより、より強い引っ張り力を加えられるように構成している。
【００４４】
上記構成の落石防止具１を用いることにより、斜面に位置する石Ｓの大きさに合わせて大きさが調節されたロープユニット２を用いて石Ｓの全体を覆うことができる。他方、ロープユニット２の両側部および上部において地盤Ｇに打設した複数のアンカー３に対して連結具４を用いてロープユニット２を引っ張り力をかけながら連結する事ができるので、石Ｓを地盤Ｇに押さえつけると共に、上部から石Ｓを吊り下げるように支持することができる。
【００４５】
とりわけ、ロープユニット２の四隅においてかけた引っ張り力はロープユニット２の全体に分散して作用し、石Ｓを地盤Ｇに押さえつけることができる。加えて、石Ｓの荷重に合わせた数だけロープユニット２の左右両側に設けたアンカー３に対して引っ張りながら連結する事により、石Ｓを十分な力で地盤Ｇに確実に固定できる。さらに、石Ｓの荷重に合せた数だけロープユニット２の上部に設けたアンカー３に対して引っ張りながら連結させることにより石Ｓを上部において吊り下げることができる。なお、落石防止の施工を施す際に石Ｓの下側における作業を行なう必要が無いのでそれだけ安全に作業を行なうことができる。
【００４６】
また、石Ｓの大きさや形状によっては、長さの異なるワイヤリング列７を連結させることにより、特殊な形状のロープユニット２を形成することも可能である。
【００４７】
さらに、本発明の落石防止具１を用い、落石防止工法によって地盤Ｇに固定された石は滑動や落石を防止できるので、本発明の落石防止具および落石防止工法を実施した後に、斜面の全体を従来の金網を用いた落石防止装置などによって保護するようにしてもよい。
【００４８】
以下、図７〜図９を用いて、本発明の第２実施形態に係る落石防止具および落石防止工法を説明する。図７〜図９において、図１〜図６と同じ符号を付した部材は同一または同等の部材であるから、その詳細な説明を省略して重複説明を避ける。
【００４９】
図７に示すように、本実施形態の落石防止具３０は、ロープユニット２の下端部の複数カ所においてロープユニット２に連結され、ロープユニット２の幅より長いすり抜け防止ロープ３１と、石Ｓの左右両側部の下部の地盤Ｇに埋設させた左右一対の補助アンカー３２と、すり抜け防止ロープ３１の両端部を引張り力をかけながら補助アンカーに連結させる補助連結部３３とを備える。また、３４はすり抜け防止ロープ３１をロープユニット２の複数の下端部に連結させるすり抜け防止ロープ結合金具である。
【００５０】
図８（Ａ）に示すように、抜け防止ロープ結合金具３４の構成は、ロープユニット２を構成するリングロープ６およびすり抜け防止ロープ３１を挟み込むのに丁度良い凹溝３５Ａが形成された挟み込みプレート３５と、この挟み込みプレート３５に開設させた４つの貫通孔３５Ｂのうち２つを貫通するように略コ字状に屈曲させた一対の屈曲ボルト３６と、この屈曲ボルト３６の両端部に螺合連結される４個のナット３７とを備える。
【００５１】
図８（Ｂ）に示すように、凹溝３５内にロープユニット２を構成するリングロープ６とすり抜け防止ロープ３１を配置させた状態で、これらを挟み込むように下方から前記貫通孔３５Ｂ内に屈曲ボルト３６を挿入させて上部に突出する屈曲ボルト３６の端部にナット３７を螺合させて締め込むことにより、ロープユニット２にすり抜け防止ロープ３１を強固に連結させることができる。
【００５２】
他方、図９（Ａ）に示すように、本実施形態の補助連結部３３は図５に示すアンカー３と同様に地盤Ｇに埋設させた補助アンカー３２に形成された雄ねじ部３２Ａに対して螺合可能に構成された一対のナット３８，３９と、これらのナットに挟み込まれるように配置されてそれぞれ貫通孔４０Ａ，４１Ｂが形成されてなる角座金４０，４１と、これらの角座金４０，４１に挟み込まれるように配置され、前記貫通孔４０Ａ，４１Ｂと同径か幾らか大きい外径を有すると共に雄ねじ部３３を挿通可能な内径を有する短筒部材４２とを備え、ナット３８，３９の間に、角座金４０、短筒部材４２、角座金４１をこの順に挟みこんでナット３９を締付けることにより形成されるものである。
【００５３】
図９（Ｂ）に示すように、補助連結部３３は２枚の角座金４０，４１の間に短筒部材４２の外周面の滑らかな曲面を位置させることができ、この角座金４０，４１間に種々のワイヤーを安定して巻回させることができるように構成している。
【００５４】
図９（Ｃ）に示すように、すり抜け防止ロープ３１の先端部は、この先端部に巻付けられる螺旋状部分４３Ａ，４３Ｂが両端に形成されて略Ｕ字状に湾曲させてなる巻付けグリップ４３によって補助連結部３３に連結される。
【００５５】
すなわち、まず図９（Ｄ）に示すように、一方の螺旋状部分４３Ａをすり抜け防止ロープ３１の先端部に巻付けた状態で、すり抜け防止ロープ３１に張力をかけるように巻付けグリップ４３を補助連結部３３の短筒部材４２に巻回させて他方の螺旋状部分４３Ｂを前記螺旋状部分４３Ａの間に位置させるようにすり抜け防止ロープ３１の先端部に巻付けさせる。
【００５６】
図９（Ｅ）に示すように、両螺旋状部分４３Ａ，４３Ｂが巻付けられたすり抜け防止ロープ３１の先端には、巻付けグリップ４３が巻付けられて、引張り力をかけた状態で補助連結部３３に連結させることができる。
【００５７】
前記すり抜け防止ロープ３１にはロープユニット２の下端部を地盤Ｇに押さえつける程度の力を作用させることができればよく、石Ｓの荷重がかかる部分ではないので、補助アンカー３２はアンカー３に比べて細いものを使っても良く、例えば一番細い直径２２ｍｍのアンカーを使用してもよい。これによって製造コストの引き下げを図ることができる。
【００５８】
前記落石防止具３０を用いた落石防止工法では、石Ｓにロープユニット２を設置する施工を施す前にロープユニット２の下部の複数箇所にすり抜け防止ロープ結合金具３４を用いて前記すり抜け防止ロープ３１を連結しておき、石Ｓをロープユニット２を取付ける時またはその後で前記補助アンカー３２を石Ｓの両側部の下方に埋設させ、補助アンカーに前記補助連結部３３を形成して、すり抜け防止ロープ３１に引っ張り力を加えさせるように連結させることができる。
【００５９】
すり抜け防止ロープ３１に引っ張り力を作用させることにより、ロープユニット２の下端部が地盤Ｇに押さえつけられるので、ロープユニット２の下端をすり抜けるようにして石Ｓが滑動することを効果的に防止することができる。
【符号の説明】
【００６０】
１，３０  落石防止具
２  ロープユニット
３  アンカー
４  連結具
５  ワイヤロープ
６  リングロープ
７  ワイヤリング列
８  連結金具
３１  すり抜け防止ロープ
３２  補助アンカー
３３  補助連結部
Ｇ  地盤
Ｓ  石
【図１】
2020159178.tif 000003
【図２】
2020159178.tif 000004
【図３】
2020159178.tif 000005
【図４】
2020159178.tif 000006
【図５】
2020159178.tif 000007
【図６】
2020159178.tif 000008
【図７】
2020159178.tif 000009
【図８】
2020159178.tif 000010
【図９】
2020159178.tif 000011